(57)【要約】【課題】  送受信切り替え時の不安定動作を防止した送受信装置及び送受信切り替え方法を提供する。【解決手段】  第１の切替部１２ａ及び第２の切替部１２ｂの切り替えによって、受信時には、高周波増幅部１１の入力側がアンテナ１３に、高周波増幅部１１の出力側が受信部１４に、送信部１５の出力側が終端部１７ｂに、それぞれ接続される。また、送信時には、高周波増幅部１１の入力側が送信部１５に、高周波増幅部１１の出力側がアンテナ１３に、受信部１４の入力側が終端部１７ａに、それぞれ接続される。【選択図】  図１
2006087017.tif 000002
【特許請求の範囲】
【請求項１】
高周波信号の送受信処理を行う送受信装置であって、
高周波信号を送受信するアンテナと、
入力信号を増幅させて出力する高周波増幅部と、
前記高周波増幅部から受信信号を入力する受信部と、
前記高周波増幅部へ送信信号を出力する送信部と、
所定のインピーダンス成分を介して接地させる終端部と、
前記アンテナ、前記高周波増幅部、前記受信部、前記送信部、及び前記終端部の接続を切り替える送受信切替部と、
送受信の状態に応じて、前記送受信切替部の切り替えを制御する制御部とを備え、
前記送受信切替部は、前記制御部からの制御に従って、
送信時に、前記送信部の出力と前記高周波増幅部の入力側とを、前記高周波増幅部の出力側と前記アンテナとを、及び前記受信部の入力と前記終端部とを、それぞれ接続し、
受信時に、前記アンテナと前記高周波増幅部の入力側とを、前記高周波増幅部の出力側と前記受信部の入力とを、及び前記送信部の出力と前記終端部とを、それぞれ接続することを特徴とする、送受信装置。
【請求項２】
前記送受信切替部が、
前記アンテナを前記高周波増幅部の出力側に接続又は開放させるスイッチと、前記受信部を前記高周波増幅部の出力側に接続又は前記終端部に接続させるスイッチとを含む第１の切替部と、
前記アンテナを前記高周波増幅部の入力側に接続又は開放させるスイッチと、前記送信部を前記高周波増幅部の入力側に接続又は前記終端部に接続させるスイッチとを含む第２の切替部とで構成されることを特徴とする、請求項１に記載の送受信装置。
【請求項３】
前記送受信切替部が、
前記高周波増幅部の出力側を前記アンテナに接続又は所定の接続点に接続させるスイッチと、前記受信部を当該所定の接続点に接続又は前記終端部に接続させるスイッチとを含む第１の切替部と、
前記高周波増幅部の入力側を前記アンテナに接続又は所定の接続点に接続させるスイッチと、前記送信部を当該所定の接続点に接続又は前記終端部に接続させるスイッチとを含む第２の切替部とで構成されることを特徴とする、請求項１に記載の送受信装置。
【請求項４】
前記送受信切替部が、
前記受信部を前記高周波増幅部の出力側に接続又は前記終端部に接続させるスイッチを含む第１の切替部と、
前記送信部を前記高周波増幅部の入力側に接続又は前記終端部に接続させるスイッチを含む第２の切替部と、
前記アンテナを前記高周波増幅部の出力側又は入力側に接続させるスイッチを含む第３の切替部とで構成されることを特徴とする、請求項１に記載の送受信装置。
【請求項５】
前記送受信切替部が、
前記受信部を前記高周波増幅部の出力側に接続又は前記終端部に接続させるスイッチを含む第１の切替部と、
前記送信部を前記高周波増幅部の入力側に接続又は前記終端部に接続させるスイッチを含む第２の切替部と、
前記アンテナから前記高周波増幅部の入力側への方向及び前記高周波増幅部の出力側から前記アンテナへの方向について、高周波的に導通させるサーキュレータとで構成されることを特徴とする、請求項１に記載の送受信装置。
【請求項６】
前記制御部は、前記送受信切替部の接続切り替え移行中は、前記高周波増幅部の電源をオフにすることを特徴とする、請求項１〜３のいずれかに記載の送受信装置。
【請求項７】
周波数が異なる複数の高周波信号の送受信処理を行う送受信装置であって、
複数の高周波信号を送受信するアンテナと、
予め定められた周波数の入力信号を増幅させて出力する複数の高周波増幅部と、
前記複数の高周波増幅部のいずれかから受信信号を入力する受信部と、
前記複数の高周波増幅部のいずれかへ送信信号を出力する送信部と、
所定のインピーダンス成分を介して接地させる終端部と、
前記アンテナ、前記複数の高周波増幅部、前記受信部、前記送信部、及び前記終端部の接続を切り替える送受信切替部と、
送受信の状態に応じて、前記送受信切替部の切り替えを制御する制御部とを備え、
前記送受信切替部は、前記制御部からの制御に従って、
送信時に、前記送信部の出力と送信周波数に対応した前記高周波増幅部の入力側とを、当該送信周波数に対応した高周波増幅部の出力側と前記アンテナとを、及び前記受信部の入力と前記終端部とを、それぞれ接続し、
受信時に、前記アンテナと受信周波数に対応した前記高周波増幅部の入力側とを、当該受信周波数に対応した高周波増幅部の出力側と前記受信部の入力とを、及び前記送信部の出力と前記終端部とを、それぞれ接続することを特徴とする、送受信装置。
【請求項８】
高周波信号を送受信するアンテナ、入力信号を増幅させて出力する高周波増幅部、高周波増幅部から受信信号を入力する受信部、高周波増幅部へ送信信号を出力する送信部、及び所定のインピーダンス成分を介して接地させる終端部の接続を切り替える送受信切り替え方法であって、
送信時に、前記送信部の出力と前記高周波増幅部の入力側との接続、前記高周波増幅部の出力側と前記アンテナとの接続、及び前記受信部の入力と前記終端部との接続に、それぞれ切り替え、
受信時に、前記アンテナと前記高周波増幅部の入力側との接続、前記高周波増幅部の出力側と前記受信部の入力との接続、及び前記送信部の出力と前記終端部との接続に、それぞれ切り替えることを特徴とする、送受信切り替え方法。
【発明の詳細な説明】
【技術分野】
【０００１】
本発明は、送受信装置及び送受信切り替え方法に関し、より特定的には、高周波信号の送信及び受信を行う装置、及びその装置が行う送信経路と受信経路の切り替え方法に関する。
【背景技術】
【０００２】
信号送信と信号受信との両方を行う装置では、装置のサイズやコストの低減を図るため、送信経路と受信経路とで一部の回路を共有化させた構成を採用しているものが存在する（特許文献１を参照）。図１０は、この回路の共有化を行った従来の送受信装置の一構成例を示す図である。
【０００３】
図１０に示す従来の送受信装置は、高周波増幅部１０１と、送受信切替部１０２と、アンテナ１０３と、受信部１０４と、送信部１０５と、制御部１０６とを備える。送受信切替部１０２は、制御部１０６から与えられる切り替え指示に従って、受信時には、高周波増幅部１０１の入力側をアンテナ１０３へ及び高周波増幅部１０１の出力側を受信部１０４へ接続し、送信時には、高周波増幅部１０１の入力側を送信部１０５へ及び高周波増幅部１０１の出力側をアンテナ１０３へ接続する。このような切り替え制御を行うことで、高周波増幅部１０１を受信時と送信時とで共有することができる。
【特許文献１】特開２００４−１２９０４３号公報
【発明の開示】
【発明が解決しようとする課題】
【０００４】
しかしながら、上述した従来の送受信装置の構成では、受信時には送信部１０５の出力側が未接続となるため、送信部１０５の動作が不安定になるという問題がある。また、送信時には受信部１０４の入力側が未接続となるため、受信部１０４の動作が不安定になるという問題がある。
また、送受信切替部１０２の切り替え制御が上手く行われない場合には、高周波増幅部１０１の入力側と出力側とが直結して正帰還経路を形成してしまい、高周波増幅部１０１が発振する恐れがあるという問題もある。
【０００５】
それ故に、本発明の目的は、送受信切り替え時の不安定動作を防止した送受信装置及び送受信切り替え方法を提供することである。
【課題を解決するための手段】
【０００６】
本発明は、高周波信号の送受信処理を行う送受信装置及び送受信切り替え方法に向けられている。本発明の送受信装置は、高周波信号を送受信するアンテナと、入力信号を増幅させて出力する高周波増幅部と、高周波増幅部から受信信号を入力する受信部と、高周波増幅部へ送信信号を出力する送信部と、所定のインピーダンス成分を介して接地させる終端部と、アンテナ、高周波増幅部、受信部、送信部及び終端部の接続を切り替える送受信切替部と、送受信の状態に応じて送受信切替部の切り替えを制御する制御部とを備え、制御部からの制御に従って送受信切替部の切り替え方法を工夫することで、上記目的を達成させる。
【０００７】
上記目的を達成させるために、本発明の送受信装置の送受信切替部は、送信時に、送信部の出力と高周波増幅部の入力側とを、高周波増幅部の出力側とアンテナとを、及び受信部の入力と終端部とを、それぞれ接続する。また、送受信切替部は、受信時に、アンテナと高周波増幅部の入力側とを、高周波増幅部の出力側と受信部の入力とを、及び送信部の出力と終端部とを、それぞれ接続する。
【０００８】
好ましい送受信切替部は、アンテナを高周波増幅部の出力側に接続又は開放させるスイッチと、受信部を高周波増幅部の出力側に接続又は終端部に接続させるスイッチとを含む第１の切替部と、アンテナを高周波増幅部の入力側に接続又は開放させるスイッチと、送信部を高周波増幅部の入力側に接続又は終端部に接続させるスイッチとを含む第２の切替部とで構成される。
この構成の場合、正帰還経路が形成されてしまうことによる高周波増幅部の発振現象を回避させるために、送受信切替部の接続切り替え移行中は、制御部によって高周波増幅部の電源をオフすることが望ましい。
【０００９】
また、他の好ましい送受信切替部は、高周波増幅部の出力側をアンテナに接続又は所定の接続点に接続させるスイッチと、受信部を当該所定の接続点に接続又は終端部に接続させるスイッチとを含む第１の切替部と、高周波増幅部の入力側をアンテナに接続又は所定の接続点に接続させるスイッチと、送信部を当該所定の接続点に接続又は終端部に接続させるスイッチとを含む第２の切替部とで構成される。
この構成の場合、正帰還経路が形成されてしまうことによる高周波増幅部の発振現象を回避させるために、送受信切替部の接続切り替え移行中は、制御部によって高周波増幅部の電源をオフすることが望ましい。
【００１０】
また、他の好ましい送受信切替部は、受信部を高周波増幅部の出力側に接続又は終端部に接続させるスイッチを含む第１の切替部と、送信部を高周波増幅部の入力側に接続又は終端部に接続させるスイッチを含む第２の切替部と、アンテナを高周波増幅部の出力側又は入力側に接続させるスイッチを含む第３の切替部とで構成される。この第３の切替部は、アンテナから高周波増幅部の入力側への方向及び高周波増幅部の出力側からアンテナへの方向について、高周波的に導通させるサーキュレータに置き換えることも可能である。
【００１１】
なお、上述した本発明の送受信切り替え方法は、周波数が異なる複数の高周波信号の送受信処理を複数の高周波増幅部を介して行う場合にも、もちろん適用可能である。この場合、本発明の送受信装置の送受信切替部は、送信時に、送信部の出力と送信周波数に対応した高周波増幅部の入力側とを、当該送信周波数に対応した高周波増幅部の出力側とアンテナとを、及び受信部の入力と終端部とを、それぞれ接続する。また、送受信切替部は、受信時に、アンテナと受信周波数に対応した高周波増幅部の入力側とを、当該受信周波数に対応した高周波増幅部の出力側と受信部の入力とを、及び送信部の出力と終端部とを、それぞれ接続する。
【発明の効果】
【００１２】
上記のように、本発明の送受信装置及び送受信切り替え方法によれば、送信部及び受信部の未接続側が必ず終端部に接続されるので、装置の動作を安定化させることができる。また、高周波増幅部を受信時と送信時とで共有することができる。
【発明を実施するための最良の形態】
【００１３】
（第１の実施形態）
図１は、本発明の第１の実施形態に係る送受信装置の構成を示す図である。図１において、第１の実施形態に係る送受信装置は、高周波増幅部１１と、送受信切替部１２と、アンテナ１３と、受信部１４と、送信部１５と、制御部１６と、終端部１７ａ及び１７ｂとを備える。送受信切替部１２は、２つのスイッチを含む第１の切替部１２ａと、２つのスイッチを含む第２の切替部１２ｂとで構成される。
【００１４】
高周波増幅部１１は、入力する高周波信号を所定のレベルに増幅する。制御部１６は、信号受信又は信号送信の動作状況に応じて、本発明の装置を受信装置又は送信装置のいずれかとして動作させるために、信号経路の切り替えを指示する制御信号を第１の切替部１２ａ及び第２の切替部１２ｂに出力する。第１の切替部１２ａ及び第２の切替部１２ｂは、制御部１６から与えられる制御信号に従って、接続の切り替えを行う。終端部１７ａ及び１７ｂは、所定のインピーダンス成分を介して接地させる終端回路である。
以下、第１の切替部１２ａ及び第２の切替部１２ｂによる、第１の実施形態に係る送受信切り替え方法を説明する。
【００１５】
受信時には、第１の切替部１２ａ及び第２の切替部１２ｂの各スイッチが、図１の実線で示されるように接続される。すなわち、高周波増幅部１１の入力側がアンテナ１３に、高周波増幅部１１の出力側が受信部１４に、送信部１５の出力側が終端部１７ｂに、それぞれ接続される。アンテナ１３にぶら下がる信号が流れない配線側Ａは、開放となる。この接続切り替えによって、アンテナ１３で受信された受信信号が高周波増幅部１１を経由して受信部１４へ入力される受信経路を形成すると共に、終端部１７ｂへの接続によって送信部１５の動作安定化を図っている。
【００１６】
送信時には、第１の切替部１２ａ及び第２の切替部１２ｂの各スイッチが、図１の破線で示されるように接続される。すなわち、高周波増幅部１１の入力側が送信部１５に、高周波増幅部１１の出力側がアンテナ１３に、受信部１４の入力側が終端部１７ａに、それぞれ接続される。アンテナ１３にぶら下がる信号が流れない配線側Ｂは、開放となる。この接続切り替えによって、送信部１５から出力された送信信号が高周波増幅部１１を経由してアンテナ１３から送信される送信経路を形成すると共に、終端部１７ａへの接続によって受信部１４の動作安定化を図っている。
【００１７】
このように、本発明の第１の実施形態に係る送受信装置及び送受信切り替え方法によれば、送信部及び受信部の未接続側が必ず終端部に接続されるので、装置の動作を安定化させることができる。また、高周波増幅部を受信時と送信時とで共有することができる。
なお、送受信切替部１２の内部構成は、上記第１の実施形態に限られるものではなく、送信部１５及び受信部１４の未接続側が必ず終端部１７ａ又は１７ｂに接続されるという条件の下で、例えば図２のように接続点Ｃ及びＤを設けたスイッチ構成とすることも可能である。
【００１８】
（第２の実施形態）
図３は、本発明の第２の実施形態に係る送受信装置の構成を示す図である。図３において、第２の実施形態に係る送受信装置は、高周波増幅部１１と、送受信切替部２２と、アンテナ１３と、受信部１４と、送信部１５と、制御部１６と、終端部１７ａ及び１７ｂとを備える。送受信切替部２２は、１つのスイッチを含む第１の切替部２２ａと、１つのスイッチを含む第２の切替部２２ｂと、１つのスイッチを含む第３の切替部２２ｃとで構成される。
【００１９】
図３でわかるように、第２の実施形態に係る送受信装置は、上記第１の実施形態に係る送受信装置と比べて、送受信切替部２２の構成が異なる。以下、この異なる構成部分を中心に、第１の切替部２２ａ、第２の切替部２２ｂ及び第３の切替部２２ｃによる、第２の実施形態に係る送受信切り替え方法を説明する。
【００２０】
受信時には、第１の切替部２２ａ、第２の切替部２２ｂ及び第３の切替部２２ｃの各スイッチが、図３の実線で示されるように接続される。すなわち、高周波増幅部１１の入力側がアンテナ１３に、高周波増幅部１１の出力側が受信部１４に、送信部１５の出力側が終端部１７ｂに、それぞれ接続される。この接続切り替えによって、アンテナ１３で受信された受信信号が高周波増幅部１１を経由して受信部１４へ入力される受信経路を形成すると共に、終端部１７ｂへの接続によって送信部１５の動作安定化を図っている。
【００２１】
送信時には、第１の切替部２２ａ、第２の切替部２２ｂ及び第３の切替部２２ｃの各スイッチが、図３の破線で示されるように接続される。すなわち、高周波増幅部１１の入力側が送信部１５に、高周波増幅部１１の出力側がアンテナ１３に、受信部１４の入力側が終端部１７ａに、それぞれ接続される。この接続切り替えによって、送信部１５から出力された送信信号が高周波増幅部１１を経由してアンテナ１３から送信される送信経路を形成すると共に、終端部１７ａへの接続によって受信部１４の動作安定化を図っている。
【００２２】
このように、本発明の第２の実施形態に係る送受信装置及び送受信切り替え方法によれば、送信部及び受信部の未接続側が必ず終端部に接続されるので、装置の動作を安定化させることができる。また、高周波増幅部を受信時と送信時とで共有することができる。
【００２３】
（第３の実施形態）
図４は、本発明の第３の実施形態に係る送受信装置の構成を示す図である。図４において、第３の実施形態に係る送受信装置は、高周波増幅部１１と、送受信切替部３２と、アンテナ１３と、受信部１４と、送信部１５と、制御部１６と、終端部１７ａ及び１７ｂとを備える。送受信切替部３２は、１つのスイッチを含む第１の切替部２２ａと、１つのスイッチを含む第２の切替部２２ｂと、サーキュレータ３２ｃとで構成される。
【００２４】
図４でわかるように、第３の実施形態に係る送受信装置は、上記第２の実施形態に係る送受信装置の第３の切替部２２ｃを、３入出力端子のサーキュレータ３２ｃに代えた構成である。このサーキュレータ３２ｃとは、各端子間を所定の一方向（矢印の向き）で高周波的に導通させる素子である。以下、この異なる構成部分を中心に、第１の切替部２２ａ、第２の切替部２２ｂ及びサーキュレータ３２ｃによる、第３の実施形態に係る送受信切り替え方法を説明する。
【００２５】
受信時には、第１の切替部２２ａ及び第２の切替部２２ｂの各スイッチ、及びサーキュレータ３２ｃの導通が、図４の実線で示されるように接続される。すなわち、高周波増幅部１１の入力側がアンテナ１３に、高周波増幅部１１の出力側が受信部１４に、送信部１５の出力側が終端部１７ｂに、それぞれ接続される。この接続切り替えによって、アンテナ１３で受信された受信信号が高周波増幅部１１を経由して受信部１４へ入力される受信経路を形成すると共に、終端部１７ｂへの接続によって送信部１５の動作安定化を図っている。
【００２６】
送信時には、第１の切替部２２ａ及び第２の切替部２２ｂの各スイッチ、及びサーキュレータ３２ｃの導通が、図４の破線で示されるように接続される。すなわち、高周波増幅部１１の入力側が送信部１５に、高周波増幅部１１の出力側がアンテナ１３に、受信部１４の入力側が終端部１７ａに、それぞれ接続される。この接続切り替えによって、送信部１５から出力された送信信号が高周波増幅部１１を経由してアンテナ１３から送信される送信経路を形成すると共に、終端部１７ａへの接続によって受信部１４の動作安定化を図っている。
【００２７】
このように、本発明の第３の実施形態に係る送受信装置及び送受信切り替え方法によれば、送信部及び受信部の未接続側が必ず終端部に接続されるので、装置の動作を安定化させることができる。また、高周波増幅部を受信時と送信時とで共有することができる。
【００２８】
（第４の実施形態）
上記第１の実施形態で説明した送受信切替部１２の構成では、第１の切替部１２ａの切り替えタイミングと第２の切替部１２ｂの切り替えタイミングとが上手く同期していないと、従来技術で説明した高周波増幅部１１の入力側と出力側とが直結される恐れがあるという問題が残っている。
そこで、第４の実施形態では、この問題を解決させた送受信装置を説明する。
【００２９】
図５は、本発明の第４の実施形態に係る送受信装置の構成を示す図である。図５において、第４の実施形態に係る送受信装置は、高周波増幅部１１と、送受信切替部１２と、アンテナ１３と、受信部１４と、送信部１５と、制御部４６と、終端部１７ａ及び１７ｂとを備える。送受信切替部１２は、２つのスイッチを含む第１の切替部１２ａと、２つのスイッチを含む第２の切替部１２ｂとで構成される。
【００３０】
図５でわかるように、第４の実施形態に係る送受信装置は、上記第１の実施形態に係る送受信装置と比べて、制御部４６の構成が異なる。この制御部４６は、上述した制御部１６の機能に加えて、送受信切替部１２による送受信経路切り替え動作中の一定時間、高周波増幅部１１の動作を停止させる機能を有する。以下、この異なる構成部分を中心に、第１の切替部１２ａ及び第２の切替部１２ｂによる、第４の実施形態に係る送受信切り替え方法を説明する。
【００３１】
送信状態から受信状態に移行する場合、第１の切替部１２ａ及び第２の切替部１２ｂの各スイッチが、図５の破線接続から実線接続へ切り替えられる。この切り替え動作を実行中、制御部４６は、高周波増幅部１１の動作が不安定にならないように、高周波増幅部１１の動作を一定時間停止させる。また、受信状態から送信状態に移行する場合、第１の切替部１２ａ及び第２の切替部１２ｂの各スイッチが、図５の実線接続から破線接続へ切り替えられる。この切り替え動作を実行中、制御部４６は、高周波増幅部１１の動作が不安定にならないように、高周波増幅部１１の動作を一定時間停止させる。高周波増幅部１１の動作停止は、例えば高周波増幅部１１の電源をＯＦＦにすることで実現できる。また、一定時間は、高周波増幅部１１の入力側と出力側とが直結される恐れがある期間であればよい。
【００３２】
このように、本発明の第４の実施形態に係る送受信装置及び送受信切り替え方法によれば、正帰還発振しないように一定時間高周波増幅部の動作を停止させるので、装置の動作をさらに安定化させることができる。
なお、上述した制御部４６の構成は、図２で示した送受信装置にも適用することが可能である。
【００３３】
（第５の実施形態）
上記第１〜第４の実施形態では、送受信装置で扱われる周波数が１つである場合を説明した。しかし、装置によっては複数の周波数を扱う場合もある。この場合、周波数毎に増幅部を用意して、適切に送受信経路を切り替える必要がある。
そこで、第５の実施形態では、２つの周波数を扱う場合を例に挙げて、複数の周波数を扱うことができる送受信装置を説明する。
【００３４】
図６は、本発明の第５の実施形態に係る送受信装置の構成を示す図である。図６において、第５の実施形態に係る送受信装置は、第１及び第２の高周波増幅部５１ａ及び５１ｂと、送受信切替部５２と、アンテナ１３と、受信部１４と、送信部１５と、制御部１６と、終端部１７ａ及び１７ｂとを備える。送受信切替部５２は、それぞれ１つのスイッチを含む第１〜第５の切替部５２ａ〜５２ｅで構成される。
【００３５】
第１の高周波増幅部５１ａは、入力する周波数ｆ１の高周波信号を所定のレベルに増幅する。第２の高周波増幅部５１ｂは、入力する周波数ｆ２の高周波信号を所定のレベルに増幅する。制御部１６は、信号受信又は信号送信の動作状況に応じて、本発明の装置を受信装置又は送信装置のいずれかとして動作させるために、信号経路の切り替えを指示する制御信号を第１〜第５の切替部５２ａ〜５２ｅに出力する。第１〜第５の切替部５２ａ〜５２ｅは、制御部１６から与えられる制御信号に従って、接続の切り替えを行う。
以下、第１〜第５の切替部５２ａ〜５２ｅによる、第５の実施形態に係る送受信切り替え方法を説明する。
【００３６】
周波数ｆ１の高周波信号の受信時には、第１〜第５の切替部５２ａ〜５２ｅの各スイッチが、図６の実線で示されるように接続される。すなわち、第１の高周波増幅部５１ａの入力側がアンテナ１３に、第１の高周波増幅部５１ａの出力側が受信部１４に、送信部１５の出力側が終端部１７ｂに、それぞれ接続される。この接続切り替えによって、アンテナ１３で受信された周波数ｆ１の受信信号が第１の高周波増幅部５１ａを経由して受信部１４へ入力される受信経路を形成すると共に、終端部１７ｂへの接続によって送信部１５の動作安定化を図っている。
一方、周波数ｆ２の高周波信号の受信時には、第１〜第５の切替部５２ａ〜５２ｅの各スイッチが、以下のように接続される。すなわち、第２の高周波増幅部５１ｂの入力側がアンテナ１３に、第２の高周波増幅部５１ｂの出力側が受信部１４に、送信部１５の出力側が終端部１７ｂに、それぞれ接続される。この接続切り替えによって、アンテナ１３で受信された周波数ｆ２の受信信号が第１の高周波増幅部５１ｂを経由して受信部１４へ入力される受信経路を形成すると共に、終端部１７ｂへの接続によって送信部１５の動作安定化を図っている。
【００３７】
周波数ｆ１の高周波信号の送信時には、第１〜第５の切替部５２ａ〜５２ｅの各スイッチが、以下のように接続される。すなわち、第１の高周波増幅部５１ａの入力側が送信部１５に、第１の高周波増幅部５１ａの出力側がアンテナ１３に、受信部１４の入力側が終端部１７ａに、それぞれ接続される。この接続切り替えによって、送信部１５から出力された周波数ｆ１の送信信号が第１の高周波増幅部５１ａを経由してアンテナ１３から送信される送信経路を形成すると共に、終端部１７ａへの接続によって受信部１４の動作安定化を図っている。
一方、周波数ｆ２の高周波信号の送信時には、第１〜第５の切替部５２ａ〜５２ｅの各スイッチが、図６の破線で示されるように接続される。すなわち、第２の高周波増幅部５１ｂの入力側が送信部１５に、第２の高周波増幅部５１ｂの出力側がアンテナ１３に、受信部１４の入力側が終端部１７ａに、それぞれ接続される。この接続切り替えによって、送信部１５から出力された周波数ｆ２の送信信号が第２の高周波増幅部５１ｂを経由してアンテナ１３から送信される送信経路を形成すると共に、終端部１７ａへの接続によって受信部１４の動作安定化を図っている。
【００３８】
このように、本発明の第５の実施形態に係る送受信装置及び送受信切り替え方法によれば、複数の周波数の高周波信号を扱う場合でも、送信部及び受信部の未接続側が必ず終端部に接続されるので、装置の動作を安定化させることができる。また、高周波増幅部を受信時と送信時とで共有することができる。
なお、送受信切替部５２の内部構成は、上記第５の実施形態に限られるものではなく、送信部１５及び受信部１４の未接続側が必ず終端部１７ａ又は１７ｂに接続され、かつ、周波数に応じて第１の高周波増幅部５１ａと第２の高周波増幅部５１ｂとが適切に切り替わるという条件の下で、例えば図７〜図９のように構成することも可能である。
【産業上の利用可能性】
【００３９】
本発明は、高周波信号の送信及び受信を切り替えて行う装置等に利用可能であり、特に送信と受信とを切り替える時の装置動作を安定化させたい場合等に有用である。
【図面の簡単な説明】
【００４０】
【図１】本発明の第１の実施形態に係る送受信装置の構成を示す図
【図２】本発明の第１の実施形態に係る送受信装置の他の構成を示す図
【図３】本発明の第２の実施形態に係る送受信装置の構成を示す図
【図４】本発明の第３の実施形態に係る送受信装置の構成を示す図
【図５】本発明の第４の実施形態に係る送受信装置の構成を示す図
【図６】本発明の第５の実施形態に係る送受信装置の構成を示す図
【図７】本発明の第５の実施形態に係る送受信装置の他の構成を示す図
【図８】本発明の第５の実施形態に係る送受信装置の他の構成を示す図
【図９】本発明の第５の実施形態に係る送受信装置の他の構成を示す図
【図１０】従来の送受信装置の構成を示す図
【符号の説明】
【００４１】
１１、５１ａ、５１ｂ、１０１  高周波増幅部
１２、２２、３２、５２、１０２  送受信切替部
１２ａ〜１２ｄ、２２ａ〜２２ｃ、５２ａ〜５２ｅ  切替部
１３、１０３  アンテナ
１４、１４ａ、１４ｂ、１０４  受信部
１５、１５ａ、１５ｂ、１０５  送信部
１６、４６、１０６  制御部
１７ａ〜１７ｄ  終端部
３２ｃ  サーキュレータ
５２ｆ、５２ｇ  デュプレクサ
【図１】
2006087017.tif 000003
【図２】
2006087017.tif 000004
【図３】
2006087017.tif 000005
【図４】
2006087017.tif 000006
【図５】
2006087017.tif 000007
【図６】
2006087017.tif 000008
【図７】
2006087017.tif 000009
【図８】
2006087017.tif 000010
【図９】
2006087017.tif 000011
【図１０】
2006087017.tif 000012